(57)【特許請求の範囲】
【請求項１】
床板を敷設した鉄骨構造物の最上位の桁材の側方に増設する張出通路であって、
一側に複数の切欠を形成した足場板と、該足場板の切欠に面して上向きに突設した鉤形を呈する複数の片持フックとを有する片持足場と、
最外側の桁材に立設し、前記片持フックと嵌合可能な複数のフックスタンドとを具備し、
前記フックスタンドが具備する嵌合部と、前記片持フックが具備する嵌合部とを嵌合させて前記片持足場を鉄骨構造物の桁材に片持ちで支持させたことを特徴とする、
鉄骨構造物の張出通路。
【請求項２】
前記片持フックに当接させたフックスタンドの上端部および中間部の二つの当接部を介して片持足場をフックスタンドに片持ちで支持させたことを特徴とする、請求項１に記載の鉄骨構造物の張出通路。
【請求項３】
前記フックスタンドは、前記最外側の桁材の外方へ向けて傾斜する傾斜部と、該傾斜部の先端から鉛直に向けて延設し、片持フックの挿嵌部と嵌合可能な嵌合部とを具備することを特徴とする、請求項１または２に記載の鉄骨構造物の張出通路。
【請求項４】
前記最外側の桁材と片持フックの起立部との間に間隙を形成するように、前記フックスタンドが略く字形を呈することを特徴とする、請求項１乃至３の何れか一項に記載の鉄骨構造物の張出通路。
【請求項５】
足場板の切欠が前記フックスタンドを収容可能な開口幅であり、該切欠内に収容したフックスタンドが切欠空間を閉鎖する寸法関係にあることを特徴とする、請求項１乃至４の何れか一項に記載の鉄骨構造物の張出通路。
【請求項６】
前記片持フックは足場板を横断する横断部と、横断部の一端から真上に延設した起立部と、起立部の一端から水平に延設した水平部と、水平部の端部から真下に延設した嵌合部とを有することを特徴とする、請求項１乃至４の何れか一項に記載の鉄骨構造物の張出通路。
【請求項７】
切欠を介して足場板の上方へ突出する片持フックの起立部の突出長が、前記フックスタンドおよび片持フックが具備する両嵌合部を嵌合させたときに、足場板の上面が該足場板と隣り合う鉄骨構造物の床板の上面と面一となる寸法関係にあることを特徴とする、請求項６に記載の鉄骨構造物の張出通路。
【請求項８】
鉄骨構造物が仮橋、仮桟橋、構台等の仮設鉄骨構造物であることを特徴とする、請求項１乃至７の何れか一項に記載の鉄骨構造物の張出通路。
【発明の詳細な説明】
【技術分野】
【０００１】
本発明は仮橋、仮桟橋、構台等の仮設鉄骨構造物または本設鉄骨構造物の側方に拡張して設ける張出通路に関するものである。
【背景技術】
【０００２】
クローラクレーン等の大型重機を用いて仮橋、仮桟橋を施工することは周知である（特許文献１，２）。
図９を参照して説明すると、狭い幅員の床板ａ上でクローラクレーン等の重機ｂが縦架設作業を行う際に、重機ｂの幅員が床板ａの幅員の大半を占めてしまい、作業員等の通行が阻害される場合がある。
このような場合には既設の床板ａの側方に覆工板製の張出床板ｃを増設して作業員の通路や退避領域を確保する必要がある。張出床板ｃの増設にあたり、張出床板ｃの支持手段が問題となる。
図１０を参照して張出床板ｃの支持手段について説明する。
同図は前提となる仮桟橋の側端部の断面を示すもので、仮桟橋は橋脚である複数の鋼柱ｄと、これらの鋼柱ｄの上部に横架した枕材ｅと、主桁ｆを介して枕材ｅの上部を覆う覆工板製の床板ａとを有している。
従来は、剛性の方杖ｇを用いて張出床板ｃの下面を支持することが現場で行われている。
方杖ｇは、その垂直部を挟締金具やボルト等の連結具ｈを用いて最外端の鋼柱ｄの側面に固定するとともに、方杖ｇに張出床板ｃを支承させて既設の床板ａを側方に拡張する。なお、符号ｉは張出床板ｃの側端に立設した高欄である。
【先行技術文献】
【特許文献】
【０００３】
【特許文献１】特開平１０−４６５２３号公報
【特許文献２】特開２００１−１１５４２１号公報
【発明の概要】
【発明が解決しようとする課題】
【０００４】
既述した従来技術はつぎの問題点を有する。
＜１＞鋼柱ｄの全高が数十ｍにもおよぶような長尺の場合には、方杖ｇを地組しておくことができないだけでなく、方杖ｇを既設の床板ａ上から取り付けることもできない。
方杖ｇの固定作業を行うには、方杖ｇの直下に別途の作業足場を設置する必要があり、作業足場の設置と解体撤去に多くのコストと時間を要する。
＜２＞方杖ｇを鋼柱ｄに固定するには、方杖ｇを吊り込んで取付位置に誘導した後、複数の連結具ｈを手作業で組み付ける必要があり、方杖ｇの固定作業に多くの手数と時間がかかる。方杖ｇを解体撤去する場合も同様に多くの手数と時間がかかる。
＜３＞方杖ｇの取り付けや解体は危険な高所作業となるため、安全性の確保が問題となる。
＜４＞張出床板ｃを増設するには、重量構造物である方杖ｇと張出床板ｃの単品をクレーンで吊り込んで固定する吊り込み作業と固定作業を繰り返し行う必要があるために、クレーンの占用時間が長くなって張出床板ｃの増設コストが高くつく。
＜５＞方杖を用いずに張出床板を増設する他の手段として、床板の側方に間隔を隔てて複数の吊上用支柱を立設し、各吊上用支柱の頭部と水平に配置した張出床板の外端部との間に斜めに吊り材を接続して吊り上げ支持する形態も考えられる。
張出床板を吊り材で吊り上げ支持する形態では、吊用支柱の高さが張出床板の幅員以上の高さとなるため、背の高い吊用支柱が障害物となるだけでなく、張出床板の上方を斜めに横断する吊り材も通行の邪魔になる。
【０００５】
本発明は以上の点に鑑みて成されたもので、その目的とするところは、別途の作業足場、方杖等を用いずに片持足場の設置および撤去を安全で短時間に行える張出通路を提供することにある。
【課題を解決するための手段】
【０００６】
本発明は、床板を敷設した鉄骨構造物の最上位の桁材の側方に増設する張出通路であって、一側に複数の切欠を形成した足場板と、該足場板の切欠に面して上向きに突設した鉤形を呈する複数の片持フックとを有する片持足場と、最外側の桁材に立設し、前記片持フックと嵌合可能な複数のフックスタンドとを具備し、前記フックスタンドが具備する嵌合部と、前記片持フックが具備する嵌合部とを嵌合させて前記片持足場を鉄骨構造物の桁材に片持ちで支持させたことを特徴とする。
本発明の他の形態において、前記片持フックに当接させたフックスタンドの上端部および中間部の二つの当接部を介して片持足場をフックスタンドに片持ちで支持させる。
本発明の他の形態において、前記フックスタンドは、前記最外側の桁材の外方へ向けて傾斜する傾斜部と、該傾斜部の先端から鉛直に向けて延設し、片持フックの挿嵌部と嵌合可能な嵌合部とを具備する。
本発明の他の形態において、前記最外側の桁材と片持フックの起立部との間に間隙を形成するように、前記フックスタンドが略く字形を呈する。
本発明の他の形態において、足場板の切欠が前記フックスタンドを収容可能な開口幅であり、該切欠内に収容したフックスタンドが切欠空間を閉鎖する寸法関係にある。
本発明の他の形態において、前記片持フックは足場板を横断する横断部と、横断部の一端から真上に延設した起立部と、起立部の一端から水平に延設した水平部と、水平部の端部から真下に延設した嵌合部とを有する。
本発明の他の形態において、切欠を介して足場板の上方へ突出する片持フックの起立部の突出長が、前記フックスタンドおよび片持フックが具備する両嵌合部を嵌合させたときに、足場板の上面が該足場板と隣り合う鉄骨構造物の床板の上面と面一となる寸法関係にある。
本発明の他の形態において、鉄骨構造物が仮橋、仮桟橋、構台等の仮設鉄骨構造物、または本設鉄骨構造物である。
【発明の効果】
【０００７】
本発明はつぎの効果を奏する。
＜１＞ユニット化した片持足場を増設現場へクレーンで吊り込むだけの簡単に作業で設置でき、撤去するときもユニット化した片持足場を吊り上げて簡単に撤去できる。
したがって、別途の作業足場や法杖枠等を使用せずに、張出通路の設置および撤去を安全で短時間に行える
＜２＞クレーンの占用時間を大幅に短縮できて、張出通路の増設コストを低減できる。
＜３＞床板から突出する片持フックの高さが低いので、他の作業や通行の邪魔にならない。
＜４＞フックスタンドが高さ方向に距離を隔てた二点で片持足場の荷重を分散して支持できる。
＜５＞増設した足場板の上面と隣り合う鉄骨構造物の床板の上面との間に段差のないフラットな連続面を形成できる。
【図面の簡単な説明】
【０００８】
【図１】本発明に係る張出通路を鉄骨構造物の側方に増設した側面図
【図２】一部を省略した張出通路の斜視図
【図３】一部を省略した張出通路の設置時の斜視図
【図４】一部を省略した片持足場の平面図
【図５】片持足場とフックスタンドの嵌合構造の拡大図
【図６】足場板を補強した片持足場の一部の正面図
【図７】フックスタンドの設置時の説明図
【図８】片持足場のモーメント図
【図９】本発明が前提とする狭い幅員の床板上に重機を配置して縦架設作業を行う現場の平面図
【図１０】図９におけるＸ−Ｘの断面図
【発明を実施するための形態】
【０００９】
以下に図面を参照しながら本発明を詳細に説明する。
【００１０】
＜１＞鉄骨構造物の張出通路の概要
図１に一部を破断した鉄骨構造物４０用の張出通路１０の全体図を示す。
鉄骨構造物４０は最上位の桁材４１に覆工板製の床板４２が敷設してある例えば仮橋、仮桟橋、構台等の仮設鉄骨構造物または本設鉄骨構造物を含む。
張出通路１０は、一側に複数の片持フック５０を具備した片持足場３０と、鉄骨構造物４０の最外側の桁材４１に立設した複数のフックスタンド５０とにより構成する。
本発明に係るは張出通路１０、フックスタンド２０が具備する嵌合部５５と、片持フック２０が具備する嵌合部２４とを嵌合させて片持足場３０を鉄骨構造物４０の最外側の桁材４１に片持ちで支持させるように構成したものである。
【００１１】
＜２＞片持足場
図１〜４を参照して説明すると、片持足場３０は少なくとも矩形を呈する足場板３１と、足場板３１の長辺の一側に開設した切欠３２に面して上向きに突設した鉤形を呈する複数の片持フック２０とを有する。
【００１２】
＜２．１＞足場板
足場板３１は矩形を呈する剛性枠の上面に床材を設けた組立体である。
図４に例示した足場板３１では、平行に配置した主桁３１ａ，３１ａの間に交差させて複数の横断桁３１ｂを接合して剛性枠を形成した形態を示すが、桁材の配置形態は図示した形態に限定されるものではない。
【００１３】
＜２．１．１＞床材
本例では足場板３１の床材としてエキスパンドメタルと滑り止め付き鉄板の組み合せた形態を示すが、床材についても公知の各種素材を適用できる。
【００１４】
＜２．１．２＞切欠
足場板３１の長辺の一側には、片持フック２０の配置間隔に合せて複数の切欠３２が開設してある。
切欠３２は、片持フック２０の起立部２２およびフックスタンド５０の当板５３を収容可能な開口幅で開設してある。
【００１５】
＜２．１．３＞幅木と高欄
足場板３１の他側には幅木３３と着脱式の高欄３４を取り付けておく。
高欄３４は予め足場板３１に取り付けておいてもよいが、片持足場３０の吊り込みの障害となるときは取り外しておき後付けするとよい。
また使途に応じて各種の追加部材を足場板３１に付設しておくことも可能である。
【００１６】
＜２．１．４＞足場板の補強構造
足場板３１の強度が不足する場合は、必要に応じて足場板３１を補強する。
図６に例示した補強構造について説明すると、片持フック２０の横断部２１を中心に主桁３１ａの間に繋ぎ材３１ｃと一対の補強材３１ｄ，３１ｄを架け渡すことで足場板３１の曲げ強度を高めることができる。
足場板３１を補強することで、吊り込み時における足場板３１の撓み変形を抑制して片持ちフック２０とフックスタンド５０との嵌合を容易にするだけでなく、片持ちフック２０およびフックスタンド５０の配設ピッチを広げることができる。
【００１７】
＜２．２＞片持フック
図１〜５を参照して説明すると、片持フック２０はフックスタンド５０に嵌合させて足場板３１を片持ちするための掛止体である。
本例の片持フック２０について説明すると、片持フック２０は足場板３１を横断する横断部２１と、横断部２１の一端から真上に延設した起立部２２と、起立部２２の一端から水平に延設した水平部２３と、水平部２３の端部から真下に延設した凸状の嵌合部２４とを有し、これらは複数の鋼材を接合して形成する。
横断部２１と起立部２２の間はＬ字形を呈し、起立部２２から水平部２３と嵌合部２４の間は逆Ｕ字形（鉤形）を呈する。
嵌合部２４には連結ピン５６を挿通可能なピン穴が穿設してある。
【００１８】
＜２．２．１＞片持フックと足場板との関係
片持フック２０と足場板３１は分離不能な一体構造の関係にある。
本例では横断部２１に足場板３１を搭載して一体化した形態について示すが、横断部２１を省略し、足場板３１を構成する剛性枠の一部から起立部２２を延設してもよい。
【００１９】
＜２．２．２＞片持フックの突出長
切欠３２を通じて足場板３１の上方へ突出する片持フック２０の起立部２２の突出長は、嵌合部２４をフックスタンド５０の嵌合部５５に嵌合させたとき、足場板３１の上面が既設の床板４２の上面と面一となる寸法関係にある。
【００２０】
＜２．２．３＞片持フックの設置数と配置間隔
片持フック２０の設置数と配置間隔は、足場板３１の平面積と載荷重等を考慮して適宜選択する。
【００２１】
＜３＞フックスタンド
図５を参照して説明すると、フックスタンド５０は片持フック２０を介して足場板３１の一側を吊り下げた状態で、鉄骨構造物４０の最外側の桁材４１に保持させるための鋼製の支持部材である。
フックスタンド５０は、ボルト連結手段等を介して桁材４１に対して着脱自在である。
フックスタンド５０は全体形状が略「く」の字形を呈していて、最外側の桁材４１の外方へ向けて傾斜する傾斜部５１と、傾斜部５１の先端から鉛直に向けて延設し、片持フック２０の挿嵌２４と嵌合可能な凹状の嵌合部５５とを具備する。
傾斜部５１は複数のボルト穴を有する基板５２に対して傾斜して固着してある。
【００２２】
＜３．１＞フックスタンドを屈曲させた理由
フックスタンド５０を略く字形に形成したのは、片持フック２０の起立部２２が最外側の桁材４１と干渉せずに、片持フック２０およびフックスタンド５０の両嵌合部２４，５５を円滑に嵌合させるためである。
換言すれば、最外側の桁材４１と片持フック２０の起立部２２との間に所定の間隙Ｇを形成した状態で、片持フック２０の凸状の嵌合部２４をフックスタンド５０の凹状の嵌合部５５に嵌合させるためである。
【００２３】
＜３．２＞当板
傾斜部５１と凹状の嵌合部５５の境界部には水平に向けて矩形の当板５３が介装してある。
当板５３は傾斜部５１および嵌合部５５の断面より大形の板体であり、当板５３の一部が傾斜部５１と嵌合部５５の屈曲した外側境界部から外方へ向けて突出している。
当板５３は足場板３１の切欠３２内に収容したときに切欠空間を閉鎖できる寸法関係にある。
【００２４】
＜３．３＞補強板
本例では傾斜部５１の引張側に補強板５４を付設した形態を示すが、補強板５４は必須ではない。
【００２５】
＜３．４＞フックスタンドの高さ
空間の活用性を考慮するとフックスタンド５０の高さは低いほど望ましいが、低過ぎると片持足場３０の安定支持が難しくなる。
そこで、フックスタンド５０の高さは足場板３１の幅員より低い寸法とする。
換言すれば、図示した形態におけるフックスタンド５０の高さは、例えば既設の床板４２の厚さの約２．５倍前後の高さを有する。
また、傾斜部５１は、例えば既設の床板４２の厚さと同じ高さか、床板４２の厚さよりやや低い高さを有する。
嵌合部５５の高さは、例えば既設の床板４２の厚さの１．５倍前後の高さを有する。
フックスタンド５０の全高やフックスタンド５０の各部位の高さは上記した例示に限定されず、適宜選択が可能である。
【００２６】
＜４＞片持フックとフックスタンドの嵌合構造
片持フック２０のお嵌合部２４はフックスタンド５０の嵌合部５５にガタツキのない状態で嵌合可能である。
【００２７】
＜４．１＞片持フックとフックスタンドの嵌合部の断面形状
本例では片持フック２０およびフックスタンド５０の各嵌合部２４，５５の断面形状が方形を呈する形態について示すが、円形や他の多角形であってもよい。
要は、凸状の嵌合部２４，５５の何れか一方が嵌合部２４，５５の何れか他方に嵌挿できる断面形状であればよい。
【００２８】
＜４．２＞片持フックとフックスタンドの嵌合部の組み合せについて
本例では片持フック２０の嵌合部２４を凸状に形成し、フックスタンド５０の嵌合部５５を凹状（筒状）に形成した組み合せについて説明するが、この組み合わせを逆にして片持フック２０の嵌合部２４を凹状に形成し、フックスタンド５０の嵌合部５５を凸状に形成して嵌合させてもよい。
【００２９】
［張出通路の設置方法］
つぎに張出通路１０の設置方法について説明する。
【００３０】
＜１＞フックスタンドの設置
図７に示すように、鉄骨構造物４０の最外側の桁材４１の上面に、片持フック２０の配置間隔に合せて複数のフックスタンド５０を配置し、その基板５２をボルト止めして固定する。この際、各フックスタンド５０を構成する嵌合部５５を既設の床板４２から離隔させて固定する。
フックスタンド５０の設置にあたり、既設の床板４２を利用して設置できるので、鉄骨構造物４０の側方に別途の作業足場を設ける必要がない。
【００３１】
＜２＞片持足場の設置
図１，３に示すように、水平状態を保ったままクレーンで吊り上げた片持足場３０を、鉄骨構造物４０の側方へ移動して、片持フック２０をフックスタンド５０に嵌合させることで片持足場３０の設置を完了する。
以降に片持足場３０の設置工程について詳しく説明する。
【００３２】
＜２．１＞片持足場の吊り込み
足場板３１の一側に形成した各片持フック２０の嵌合部２４を対応する各フックスタンド５０の真上に位置させる。
【００３３】
＜２．２＞片持フックとフックスタンドの嵌合
この状態で、片持足場３０の全体をゆっくりと降下させて、片持フック２０の嵌合部２４をフックスタンド５０の嵌合部５５に差し込んで嵌合させる。
片持足場３０を降下させる際、略く字形を呈するフックスタンド５０の嵌合部５５が桁材４１の外方へ張り出ているので、片持フック２０の起立部２２が桁材４１と干渉しないだけでなく、片持フック２０の起立部２２の外面がガイド面となってフックスタンド５０の当板５３の側面と摺接するため、両嵌合部２４，５５の嵌合作業を短時間の間に円滑に行うことができる。
足場板３１の切欠３２内にフックスタンド５０を収容することで、切欠空間の大半が封鎖されるので、面一に形成した足場板３１と既設の床板４２の上面の間に大きな隙間が生じない。
【００３４】
＜２．３＞連結ピンの挿入
両嵌合部２４，５５に連結ピン５６を差し込んで外れを防止する。
フックスタンド５０の嵌合部５５の上端面と片持フック２０の水平部２３の下面との当接面を介してして片持足場３０の荷重をフックスタンド５０へ伝えるので、連結ピン５６に荷重は作用しない。
本発明では、鉄骨構造物４０を支える鋼柱の全高が数十ｍにもおよぶような長尺の場合であっても、鉄骨構造物４０の側方に別途の作業足場を設けることなく、一回のクレーン操作で以て鉄骨構造物４０の側方に張出通路１０を増設できる。
また片持フック２０とフックスタンド５０の位置合わせ作業も既設の床板４２上で安全に行える。
【００３５】
＜３＞片持足場の片持ち支持構造
本発明ではフックスタンド５０を介して片持足場３０を鉄骨構造物４０の桁材４１に片持ちで支持する構造である。
図５を参照して片持足場３０の片持ち支持構造（片持ち梁）について詳しく説明すると、片持フック２０の水平部２３の下面とフックスタンド５０の上端との間に第１当接部Ｐ１が形成され、片持フック２０の起立部２２の外面とフックスタンド５０の当板５３の側面との間に第２当接部Ｐ２が形成される。第２当接部Ｐ２は第１当接部Ｐ１の下方に形成される。
片持足場３０の重量は、これらの第１および第２当接部Ｐ１，Ｐ２の二点を通じてフックスタンド５０に支持される。
図８に示した片持足場３０のモーメント図からも明らかなように、上下の位置関係にある第１および第２当接部Ｐ１，Ｐ２の二点を通じて支持できるので、片持足場３０を安定した姿勢で片持ちできる。
さらに、第１および第２当接部Ｐ１，Ｐ２間の距離が高さ方向に離れているので、片持フック２０だけでなくフックスタンド５０に対しても荷重を分散できるので、特定の部位に過大な応力が集中しないで済む。
さらにまた、高さ方向に距離を隔てた二点で片持足場３０を支持できるので、片持フック２０の突出長を低く抑えることができる。
【００３６】
［張出通路の撤去方法］
張出通路１０を撤去する場合は、既述した設置方法と逆の作業工程で簡単に行うことができる。
すなわち、連結ピン５６を取り除いた状態で張出足場１０をクレーンで吊り上げて撤去するだけの簡単な作業で張出通路１０を撤去できる。
フックスタンド５０は撤去してもよいが、撤去せずに残置させた複数のフックスタンド５０間に図示しない高欄用の支柱を差し込んで既設の床板４２用の高欄を形成してもよい。
本発明では張出通路１０の設置作業だけでなく、張出通路１０の撤去作業も安全で、かつ短時間に行える
【００３７】
［張出通路の転用性について］
本発明に係る張出通路１０は、片持フック２０の着脱が容易であり、ユニット化した片持足場３０の設置と解体が容易である。
したがって、撤去した片持フック２０や片持足場３０の次工区への転用が簡単に行える。
【符号の説明】
【００３８】
１０・・・張出通路
２０・・・片持フック
２１・・・片持フックの横断部
２２・・・片持フックの起立部
２３・・・片持フックの水平部
２４・・・片持フックの嵌合部
３０・・・片持足場
３１・・・足場板
３２・・・足場板の切欠
３３・・・足場板の幅木
３４・・・足場板の高欄
４０・・・鉄骨構造物
４１・・・鉄骨構造物の桁材
４２・・・鉄骨構造物の床板
５０・・・フックスタンド
５１・・・フックスタンドの傾斜部
５２・・・フックスタンドの基板
５３・・・フックスタンドの当板
５４・・・フックスタンドの補強板
５５・・・フックスタンドの嵌合部
５６・・・連結ピン
【図１】
0006498075.tif 000002
【図２】
0006498075.tif 000003
【図３】
0006498075.tif 000004
【図４】
0006498075.tif 000005
【図５】
0006498075.tif 000006
【図６】
0006498075.tif 000007
【図７】
0006498075.tif 000008
【図８】
0006498075.tif 000009
【図９】
0006498075.tif 000010
【図１０】
0006498075.tif 000011